(57)【特許請求の範囲】
【請求項１】
扉に固定されるハウジングと、前記ハウジングに旋回可能に収納された縦長のハンドルと、前記ハウジングと前記ハンドルの一端部との間に介在して前記ハンドルを旋回可能に支える支持ピンとを有する平面ハンドルにおいて、
前記ハウジングは、収納された前記ハンドルを挟んで対向配置されて前記ハンドルの縦方向に延びる一対の側壁と、前記側壁の縁部に形成されて前記扉の前面に前方から当接可能なフランジとを有し、前記支持ピンは前記ハンドルの縦方向に直交して延びる軸方向に小径部と大径部とを有し、前記小径部はその先端部分が前記側壁の一方に形成された透孔に前記ハウジングの外側から挿通された後に前記ハンドルの一端部を貫通して前記側壁のもう一方にまで延びてそのもう一方の側壁に支えられ、前記大径部は前記小径部の後端部分につながって形成されていて前記側壁の一方の外面と同一平面を成し、かつ、前記大径部の周縁部分と前記フランジの後面との間の離間寸法が０〜０．７ｍｍとなるように前記透孔におさまっていることを特徴とする前記平面ハンドル。
【発明の詳細な説明】
【０００１】
【発明の属する技術分野】
この発明は、平面ハンドルに関する。
【０００２】
【従来の技術】
実開平５−７１３７５号公報には、ロック機構つきラッチが開示されている。このラッチは、縦長のハウジングと、このハウジングに収納された縦長のラッチハンドルとを有し、ハウジングはラッチハンドルを挟んで対向し、ラッチハンドルの縦方向へ延びる一対の側壁を有する。これら一対の側壁間には支持ピンが延び、このピンがラッチハンドルの一端部を横方向において貫通している。かかるラッチハンドルは、その支持ピンを中心に旋回可能であって、その旋回に伴ってハウジングに対して出入りする。
【０００３】
【発明が解決しようとする課題】
図４は、前記公知のラッチの要部断面図である。このラッチでは、ハウジング１０２の一対の側壁１０３，１０４に支持ピン挿入孔１０６，１０７が形成されている。支持ピン１０８は、ハウジング１０２の外側からそれらの挿入孔１０６，１０７に圧入されるもので、軸方向に小径部１１１と大径部１１２とを有し、小径部１１１が一対の側壁１０３，１０４間に延び、大径部１１２が挿入孔１０６の拡径部１０９に圧入されている。大径部１１２の周面には支持ピン１０８の抜け防止のためにローレット加工が施されている。このラッチでは、ラッチハンドル１０１の旋回を繰り返していると、挿入孔１０６，１０７に圧入されている支持ピン１０８が徐々に緩み、図の右方へ抜けてしまうことがある。
【０００４】
この発明は、前記公知のラッチを一例とする平面ハンドルにおいて、ハンドルを旋回可能に支える支軸ピンがハウジングから抜けることがないように改良することを課題にしている。
【０００５】
【課題を解決するための手段】
前記課題解決のために、この発明が対象とするのは、扉に固定されるハウジングと、前記ハウジングに旋回可能に収納された縦長のハンドルと、前記ハウジングと前記ハンドルの一端部との間に介在して前記ハンドルを旋回可能に支える支持ピンとを有する平面ハンドルである。
【０００６】
かかる平面ハンドルにおいて、この発明が特徴とするところは、次のとおりである。前記ハウジングは、収納された前記ハンドルを挟んで対向配置されて前記ハンドルの縦方向に延びる一対の側壁と、前記側壁の縁部に形成されて前記扉の前面に前方から当接可能なフランジとを有する。前記支持ピンは、前記ハンドルの縦方向に直交して延びる軸方向に小径部と大径部とを有する。前記小径部は、その先端部分が前記側壁の一方に形成された透孔に前記ハウジングの外側から挿通された後に前記ハンドルの一端部を貫通して前記側壁のもう一方にまで延びてそのもう一方の側壁に支えられ、前記大径部は前記小径部の後端部分につながって形成されていて前記側壁の一方の外面と同一平面を成し、かつ、前記大径部の周縁部分と前記フランジの後面との間の離間寸法が０〜０．７ｍｍとなるように前記透孔におさまっている。
【０００７】
【発明の実施の形態】
添付の図面を参照して、この発明に係る平面ハンドルの詳細を説明すると、以下のとおりである。
【０００８】
図１は、扉２に取り付けられた平面ハンドル１の斜視図である。図において、部分破断図で示されている扉２は、同じく部分破断図で示されている固定枠３に対して開閉可能である。
平面ハンドル１は、扉２の前面に固定されているハウジング６と、ハウジング６に旋回して双頭矢印Ａ方向へ起伏するように取り付けられている縦長のハンドル７と、扉２の後面側においてハウジング６に取り付けられ、双頭矢印Ｂ方向へ回転可能な爪金具８とを有する。
ハウジング６は、その周縁にフランジ１６を有し、周縁の内側には扉２の後面へ向かってくぼむハンドル収納部１７を有する。収納部１７は、倒伏してそこに納まるハンドル７を挟むように互いに対向し、ハウジング６の上下方向つまりハンドル７の縦方向へ延びる一対の側壁１０ａ，１０ｂと、上部端壁１０ｃと、下部端壁を形成するラッチ１１と、底壁１０ｄとによって画成されている。かかるハウジング６は、収納部１７が扉２に形成された取付け孔４１（図３参照）に嵌められている。
図の平面ハンドル１では、ばね２２によって起立する方向へ付勢されているハンドル７が収納部１７から外へ出て矢印Ａの上方向へ旋回し、爪金具８が矢印Ｂの下方向へ回転して扉２が固定枠３に対して解錠された状態にある。かかる扉２は、ハンドル７を持って手もと側へ引張れば開けることができる。図示のハンドル７が倒伏して収納部１７に納まると、爪金具８が矢印Ｂの上方向へ回転して、仮想線で示されるように固定枠３の後方に位置するようになり、扉２は施錠状態になる。ハウジング６の下方部分には、ハウジング６の上方ヘ向かってばね付勢されたラッチ１１が設けられており、ハンドル７が倒伏すると、ラッチ１１の突起１２がハンドル７の下端部に形成された凹部１３に進入して、ばね２２の作用で起立しようとするハンドル７を抑えることができる。ラッチ１１は、鍵穴１４に挿入した鍵（図示せず）の操作によって、施錠・解錠することができる。ラッチ１１をハウジング６の下方へスライドさせると、ハンドル７が起立して図１の状態に戻る。
【０００９】
図２は、図１のＩＩ−ＩＩ線矢視図である。ハウジング６は、その周縁に形成されたフランジ１６の後面を扉２の前面に前方から当接させる一方、フランジ１６の後面から扉２の後面側に突出している上下一対のボス部１９にかぶせた止め金具２６を雄ねじ１８を使って扉２の後面に当接させることによって、つまりフランジ１６と止め金具２６とによって扉２を前後方向から挟持することによって、扉２に固定されている。ハンドル７は、これを支える支持ピン２１を中心に矢印Ａ方向へ旋回可能なものであり、その上端部に収納部１７の底壁１０ｄを前面側から貫いて後面の後方へ延びる爪金具駆動部２３が形成されている。駆動部２３は、ハンドル１７の旋回に伴って支持ピン２１を中心に矢印Ｃ方向へ旋回可能であり、図の如くハンドル１７が上方ヘ向かって旋回すると、駆動部２３は下方へ向かって旋回しながら爪金具８を下方へ押圧し、図１に仮想線で示された位置にある爪金具８を実線で示された位置へと回転させる。かかる爪金具８は、収納部１７の底壁１０ｄの後面から後方へ延びているボス２４を中心に回転する（図３を併せて参照）。
【００１０】
図３は、図１のＩＩＩ−ＩＩＩ線矢視図である。ただし、図３のハンドル７は、倒伏して収納部１７に納められた状態で示されている。ハンドル７をハウジング６に取り付けるための支持ピン２１は、その軸方向に小径部２１ａと大径部２１ｂとを有し、そのうちの大径部２１ｂは支持ピン２１の頭部を形成している。小径部２１ａは、その先端部分が収納部１７の側壁１０ａに形成された第１案内孔２７に図の右方から挿入された後にハンドル７の透孔２８を貫通し、さらに、ハンドル７を挟んで側壁１０ａに対向するもう一方の側壁１０ｂに形成された第２案内孔２９に進入してその側壁１０ｂに支えられている。好ましい小径部２１ａは、大径部２１ｂの近傍にローレット加工部３１を有し、この加工部３１が第１案内孔２７の周面に圧接して支持ピン２１の抜け止めとして作用する。大径部２１ｂは、軸方向に直交する外面３２が側壁１０ａの外面３３と実質的に同一平面を形成するように、側壁１０ａに形成された第１案内孔２７のさら穴部分３４に納まっている。かかる大径部２１ｂでは、周縁部分３６のうちのフランジ１６寄りの部位３６ａがフランジ１６の後面１６ａの近傍に位置している。好ましい平面ハンドル１では、部位３６ａと後面１６ａとの離間寸法Ｌが望ましくは０〜０．７ｍｍ、さらに好ましくは０〜０．５ｍｍの範囲にある。かような大径部２１ｂを有する支持ピン２１が使われた平面ハンドル１が扉２の取付け孔４１に納まると、その取付け孔４１の縁部４２が大径部２１ｂの直前（図の右方）に位置して、支持ピン２１がハウジング６から抜けることを防止する。扉２が奏するこのような防止効果の有無は、支持ピン２１における周縁部分３６の径の大きさやハウジング６におけるその支持ピン２１の挿入位置に依存するということもできる。しかしながら、図示例の如き平面ハンドル１が使用される扉２は、その厚さが０．８ｍｍより大きいものが通例であるから、周縁部分３６の部位３６ａとフランジ部１６の後面１６ａとをこの発明におけるように極めて接近させてある平面ハンドル１は、広範囲な厚さの扉２においてハウジング６から支持ピン２１が抜けるというトラブルの解消が可能になる。なお、図３において収納部１７の底壁１０ｄ後面からボス２４に平行して延びるボス２５は、回転する爪金具８の案内となるものであるが、その詳細説明は割愛する。
【００１１】
【発明の効果】
この発明に係る平面ハンドルは、ハンドルを旋回可能に支える支持ピンの頭部を形成している大径部が平面ハンドルにおけるフランジ部後面の近傍に位置するから、この平面ハンドルを扉に取り付けると、支持ピンがハウジングから抜けることをその扉によって確実に防止できる。
【図面の簡単な説明】
【図１】扉に取り付けられた平面ハンドルの斜視図。
【図２】図１のＩＩ−ＩＩ線に沿う矢視図。
【図３】図１のＩＩＩ−ＩＩＩ線に沿う拡大矢視図。
【図４】従来例の平面ハンドルの要部断面図。
【符号の説明】
１      平面ハンドル
２      扉
３      固定枠
６      ハウジング
７      ハンドル
１０ａ，１０ｂ      側壁
１６      フランジ
２１      支持ピン
２１ａ      小径部
２１ｂ      大径部
２７      透孔
３３      外面
３６ａ      周縁部分
Ｌ      離間寸法
【図１】
0003752165.tif 000002
【図２】
0003752165.tif 000003
【図３】
0003752165.tif 000004
【図４】
0003752165.tif 000005